(57)【特許請求の範囲】
【請求項１】
外板と裏板とを重ね合わせて設けられる球流路と、前記球流路を切欠いた開口を塞ぐ位置に軸着して設けた可動片と、前記可動片の進退動により電気接続するスイッチを納めたスイッチボックスとを設けてなるカーブレールにおいて、前記スイッチボックスはその上面及び下面のそれぞれの中央部より奥側端部の側寄りに固着して外側端部の側へ跳ね上げ且つ自由端側を外側端部から外方へ延長突出させると共に係止爪を有するばね板を対称に設けて形成し、裏板の内面にスイッチボックスの奥側端部を受入れる受け枠を一体に設け、外板には前記スイッチボックスの差込み口を切欠してこの差込み口の四隅部に前記スイッチボックスの外側端部の四隅部を支持する支持枠を設け、前記差込み口の上下の各支持枠の間の上下縁部に前記ばね板の係止爪を係合させてスイッチボックスを着脱自在に組み込み設置せしめてなることを特徴とするパチンコ機のカーブレールに設けたスイッチボックスの取付構造。
【発明の詳細な説明】
【０００１】
【産業上の利用分野】
本発明は、パチンコ機のカ−ブレ−ルに設けたスイッチボックスの取付構造、特に、球切れ検知装置のセンサ−の機能を備えた可動片の背面に設けられて該可動片の押圧により電気接続するスイッチを納めたスイッチボックスの取付構造に関するものである。
【０００２】
【従来の技術】
従来、パチンコ機のカ−ブレ−ルは、図１１、図１２に示すように、外板１００と裏板１０１の間に複数の仕切板１０２を重ね合わせて、第一球流路ａ、第二球流路ｂ、第三球流路ｃのように複数条の球流路を設けて組み立てられ、そして、これらの球流路ａ、ｂ、ｃごとに球切れ検知装置のセンサ−として機能する可動片１０３と、これらの可動片１０３の背面に前記可動片１０３ごとに押圧されて電気接続する複数のスイッチ１０４が納められたスイッチボックス１０５が設けられて、前記可動片１０３の退動位置で前記スイッチ１０４を押圧するように組み込まれていることは良く知られている。
【０００３】
【発明が解決しようとする課題】
従来の技術で述べたスイッチボックスにおいて、図１１に示すように、合成樹脂材になる前記スイッチボックス１０５は、上面の中央部位置及び下面の中央部位置に筒軸１０６及び１０７が一体に設けられてなり、また、前記外板１００と裏板１０１には前記スイッチボックス１０５の筒軸１０６、１０７を軸着する箇所にそれぞれの筒軸１０８、１０９、１１０、１１１を突設してなり、前記裏板１０１の筒軸１０９、１１１は裏板１０１に穿設する貫通孔１１２、１１３に連通させて設置してなる。そして前記スイッチボックス１０５の組み立て工程において、外板１００及び裏板１０１の筒軸１０８、１０９、１１０、１１１に前記スイッチボックス１０５の上下面の筒軸１０６、１０７を連通位置させ、そして、カ−ブレ−ルの裏板１０１の外面に設けられた貫通孔１１２からねじ釘１１４を螺入させて、図１２に示すように、裏板１０１の筒軸１０９、スイッチボックス１０５の上面の筒軸１０６及び外板１００の筒軸１０８を一体にねじ止めし、同様に、裏板１０１の貫通孔１１３からねじ釘１１４を螺入して裏板１０１の筒軸１１１、スイッチボックス１０５の下面の筒軸１０７及び外板１００の筒軸１１０を一体にねじ止めすることにより、カ−ブレ−ルにスイッチボックス１０５を組み込み設置する。
【０００４】
このように、ねじ釘１１４を裏板１０１、スイッチボックス１０５及び外板１００の直線状に連設された３個の筒軸１０９、１０６、１０８及び１１１、１０７、１１０にねじ込む作業において、ねじ釘１１４を傾けないで真直ぐに螺入することは集中力が必要で時間のかかるものであり、しかも、このようなカ−ブレ−ルの組立構造において、別途用意されたねじ釘１１４を使用することは部品点数を多くするばかりでなく、金属製のねじ釘１１４は高価で不経済でもあり、組立工程においても、直線状に連設された３個の筒軸１０９、１０６、１０８及び１１１、１０７、１１０に真直ぐに螺入するための神経の疲れる無駄な作業時間が費やされ、カ−ブレ−ルの組立作業の能率性を悪くする原因でもあった。
【０００５】
本発明は、上記の点に鑑みてなされたもので、その目的とするところは、スイッチボックスの上面及び下面にばね板を対称に設置し、外板の一部を切欠してスイッチボックスの差込み口を設け、スイッチボックスを前記差込み口からスイッチボックスの収納空間に差し込むだけで簡単に組み込み設置できるようにしたスイッチボックスの取付構造を提供するものである。
【０００６】
【発明が解決するための手段】
上記の目的を達成するために、本発明は、外板と裏板とを重ね合わせて設けられる球流路と、前記球流路を切欠いた開口を塞ぐ位置に軸着して設けた可動片と、前記可動片の進退動により電気接続するスイッチを納めたスイッチボックスとを設けてなるカーブレールにおいて、前記スイッチボックスはその上面及び下面のそれぞれの中央部より奥側端部の側寄りに固着して外側端部の側へ跳ね上げ且つ自由端側を外側端部から外方へ延長突出させると共に係止爪を有するばね板を対称に設けて形成し、裏板の内面にスイッチボックスの奥側端部を受入れる受け枠を一体に設け、外板には前記スイッチボックスの差込み口を切欠してこの差込み口の四隅部に前記スイッチボックスの外側端部の四隅部を支持する支持枠を設け、前記差込み口の上下の各支持枠の間の上下縁部に前記ばね板の係止爪を係合させてスイッチボックスを着脱自在に組み込み設置せしめてなるものである。
【０００７】
前記スイッチボックスは、外側端部の上下面の内側の端部にストッパ−を突設してこのストッパ−の上面に奥側端部の側へ低くなる傾斜を設けて形成し、外板の差込み口の内側の上下の支持枠には前記ストッパ−の傾斜に対応する傾斜を有する段部を設け、スイッチボックスを前記差込み口から挿入されて前記ストッパ−が前記段部に係合して停止作用したときに、ばね板の係止爪か差込み口の上下の縁部に係合し、該スイッチボックスを収納空間に安定した状態に納められるようにするのが好ましい。
【０００８】
【作用】
カ−ブレ−ルにスイッチボックスを組込む作業において、外板の差込み口からスイッチボックスを差し込み、スイッチボックスの奥側端部を裏板の受け枠に嵌め込み、そして上下のストッパ−が内側上下の支持枠に嵌合して停止作用が働いたとき、スイッチボックスの上下のばね板の係止爪がばね板の弾性により差込み口の上下縁に係合し、スイッチボックスは、奥側端部を裏板の受け枠に入り、外側端部の外側の上下隅部を外板の外側の支持枠に嵌合して収納空間に安定した状態を保って堅固に納められる。スイッチボックスを取り出す際には、上下のばね板をつまんで係止爪を差込み口の上下縁部から外し、そのまま引き抜くことにより取り出される。
【０００９】
また、前記スイッチボックスは、ストッパ−とばね板の係止爪との間に差込み口を挟着することにより外板と裏板の間の収納空間に納められ、この状態において、スイッチボックスが外部から受ける種々の応力、例えば、可動片の押圧力を受けてもがたつくことなく固く固定設置されスイッチの接触機能を損なうことなく確実に設置することができる。
【００１０】
【実施例】
以下本発明の一実施例を図面に基づいて説明すると、図１は、パチンコ機の裏面図で、１は遊戯盤、２は遊戯盤の後面に取外し可能に配置された機構板、３はその上方に取付けられた賞球タンク、４は賞球タンク３内の賞球をカ−ブレ−ル５を介して賞球放出装置６に導く誘導樋を示す。
【００１１】
図２は本発明に係るカ−ブレ−ルの分解斜視図、図３は外板と裏板とスイッチボックスの拡大斜視図、図４はスイッチボックスの裏面側から示す斜視図、図５はスイッチボックスを組み込む前の状態を一部切欠して示すカ−ブレ−ルの組立斜視図、図６はスイッチボックスを組み込んだ状態を示すカ−ブレ−ルの組立斜視図、図７は外板の側から示すカ−ブレ−ルの組立斜視図で、カ−ブレ−ル５は、外板７と、球流路８を有する裏板９との間に、一方の側面に球流路１０を有する仕切板１１を複数個、好ましくは２個を重ね合わせて、第一球流路８ａ、第二球流路１０ａ、第三球流路１０ｂとの３条の球流路を備えられ、各球流路８ａ，１０ａ，１０ｂごとに、図８及び図１０に示すように、この球流路８、１０の屈曲部を切欠いた開口１２を塞ぐ位置に、図８及び図１０に示すように、第一、第に、第三の各球流路８ａ，１０ａ，１０ｂごとに軸着して一端が球流路８、１０内に進退動自在となるように球切れ検知装置のセンサ−として機能する可動片１３が組み込み設置される。そして第一、第二、第三球流路８ａ，１０ａ，１０ｂに軸着された可動片１３の背面には、各球流路の各可動片１３ごとに押圧されて電気接続するスイッチ１４ａ，１４ｂ，１４ｃを納めたスイッチボックス１５が設けられる。このスイッチ１４ａ，１４ｂ，１４ｃのスイッチボタンが前記可動片１３の退動位置で押圧されるようになっている。該スイッチ１４ａ，１４ｂ，１４ｃは前記入賞球処理装置の駆動モ−タ（図示せず）の回路を開閉する。
【００１２】
前記スイッチボックス１５はその上面の中央部からやや奥側端部１６の側寄り位置にばね板１７の基端部を固着設置してこのばね板１７の反対側の自由端をスイッチボックス１５上面の長さ方向上方へそらせて突設すると共にこのばね板１７の自由端側の上面に三角隆起状の係止爪１８を突設し、スイッチボックス１５の下面の中央部からやや奥側端部の側寄り位置に、同じくばね板１９の基端部を固着設置してこのばね板１９の反対側の自由端をスイッチボックス１５下面の長さ方向下方へそらせて突設すると共にこのばね板１９の自由端側の下面に三角隆起状の係止爪２０を突設し、これら上下のばね板１７、１９は、それぞれの係止爪１８、２０の係止面がスイッチボックス１５の外側端部２１とほぼ同位置となるようにすると共にそれぞれの自由端側がスイッチボックス１５の外側端部２１から外方へ突出するようにして上下のばね板１７、１９を対称に設置する。また、前記スイッチボックス１５は、外側端部２１の上下の内側隅部にストッパ−２２、２３が一体に突出設置され、これら上下のストッパ−２２、２３のそれぞれの上面及び下面を奥側端部の側へ低くなる傾斜を有して形成される。
【００１３】
前記外板７は前記スイッチボックス１５の収納空間へ連通する箇所を一部切欠してスイッチボックス１５の差込み口２４を設け、この差込み口２４の四隅部に支持枠２５、２６、２７、２８を設け、外板７の内側となる上下の支持枠２５、２６には、ストッパ−２２、２３と嵌合する段部２９、３０が形成され、前記外板７の外側となる支持枠２７、２８にはスイッチボックス１５の外側端部２１の外側の上下隅部を嵌合させる段部３１、３２が形成される。
【００１４】
前記裏板９の内面には、前記スイッチボックス１５の奥側端部１６を受け入れる横Ｕ字状の受け枠３３を設けて形成する。そして、スイッチボックス１５を差込み口２４から差し込んで奥側端部１６を受け枠３３に入れ、前記ストッパ−２２、２３が内側の支持枠２５、２６の段部２９、３０に嵌合するまでスイッチボックス１５を押し込んで、前記ストッパ−２２、２３が内側の支持枠２５、２６に完全に嵌合したとき、ばね板１７，１９の係止爪１８，２０が差込み口２４の上下縁に嵌合し、スイッチボックス１５が外板７と裏板９の間の収納空間に安定した状態を維持して確実に固定配置されるようにするのが好ましい。
【００１５】
カ−ブレ−ル５にスイッチボックス１５を組込む作業において、外板７の差込み口２４からスイッチボックス１５を差しこみ、スイッチボックス１５の奥側端部１６を裏板９の受け枠３３に差込み、外側端部２１のストッパ−２３、２４が差込み口２４の内側の支持枠２５、２６に嵌合し、このときに、スイッチボックス１５の上下のばね板１７、１９の係止爪１８、２０が差込み口２４の上下縁に係合し、スイッチボックス１５の外側端部２１の上下の外側隅部が外側の支持枠２７、２８に嵌合し、外板７と裏板９の間の収納空間に納められてカ−ブレ−ル５に組み込み設置する。そして、このスイッチボックス１５に納められた複数のスイッチ１４ａ，１４ｂ，１４ｃのスイッチボタンが第一、第二、第三球流路８ａ，１０ａ，１０ｂの各可動片１３の退動位置で押圧されるように設置される。該スイッチは前記入賞球処理装置の駆動モ−タ（図示せず）の回路を開閉する。
【００１６】
そして、カ−ブレ−ル５に景品球が入っている図１０の状態では、その球圧により可動片１３が押圧されて退動位置にあり、スイッチ１４ａ，１４ｂ，１４ｃが閉じているため入賞球処理装置が正常に作動する。そして、万一第一、第二、第三球流路８ａ，１０ａ，１０ｂのいずれかが球詰まり等の原因により景品球が途断えた場合にはそれに対応する可動片１３が球圧から解放され、これによりスイッチ１４ａ，１４ｂ，１４ｃの一つが開くため入賞球処理装置の駆動モ−タが停止するのである。
【００１７】
スイッチボックス１５をカ−ブレ−ル５から取り出す際には、上面及び下面のばね板１７と１９をつまんで差込み口２４の上下縁部から外し、そのまま引き抜くことにより取り出される。
【００１８】
【発明の効果】
以上説明したように本発明によれば、上下面にばね板を設けたスイッチボックスを提供し、また、外板の側面にスイッチボックスの差込み口を設けると共にスイッチボックスの収納空間を枠状に囲む外板及び裏板を提供することにより、スイッチボックスを差込み口から出し入れするだけで簡単に着脱可能となり、カ−ブレ−ルに対する組み立ても従来に比し簡便にし作業能率を向上させることができ、それ故に、従来のような３個の筒軸を真直ぐに一連に連設した状態で一方側からねじ釘をねじ込んで一体に組み立てるといった集中力と神経の疲れる組み立て作業から解放され、しかもねじ釘を別途用意する必要を排除し、部品点数を削減すると共に合成樹脂材による一体成形により容易かつ安価に形成することを可能にした安定性の高い優れた取付構造を提供する等の効果を奏する。
【図面の簡単な説明】
【図１】パチンコ機の裏面図である。
【図２】本発明のカ−ブレ−ルの分解斜視図である。
【図３】本発明の外板と裏板とスイッチボックスの拡大斜視図である。
【図４】本発明のスイッチボックスの裏面側から示す斜視図である。
【図５】本発明のスイッチボックスを組み込む前の状態を一部切欠して示す斜視図である。
【図６】本発明のスイッチボックスを組み込んだ状態を示すカ−ブレ−ルの組立斜視図である。
【図７】本発明のカ−ブレ−ルを外板の側から示す組立斜視図である。
【図８】本発明のスイッチボックスの取付状態を示す要部断面図である。
【図９】本発明のスイッチボックスをカ−ブレ−ルに設置した状態を外板の側から示す組立図である。
【図１０】本発明のカ−ブレ−ルの球流路に設けられたスイッチボックスと可動片の関係を示す要部断面図である。
【図１１】従来のカ−ブレ−ルとスイッチボックスを示す分解斜視図である。
【図１２】従来のスイッチボックスの取付構造を示す要部断面図である。
【符号の説明】
５                        カ−ブレ−ル
７                        外板
８                        球流路
８ａ                      第一球流路
９                        裏板
１０                      球流路
１０ａ，１０ｂ            第二、第三球流路
１３                      可動片
１４ａ，１４ｂ，１４ｃ    スイッチ
１５                      スイッチボックス
１６                      奥側端部
１７                      ばね板
１８                      係止爪
１９                      ばね板
２０                      係止爪
２１                      外側端部
２２，２３                ストッパ−
２４                      差込み口
２５，２６，２７，２８    支持枠
２９，３０，３１，３２    段部
３３                      受け枠
【図１】
0003569313.tif 000002
【図２】
0003569313.tif 000003
【図３】
0003569313.tif 000004
【図４】
0003569313.tif 000005
【図８】
0003569313.tif 000006
【図５】
0003569313.tif 000007
【図６】
0003569313.tif 000008
【図７】
0003569313.tif 000009
【図９】
0003569313.tif 000010
【図１２】
0003569313.tif 000011
【図１０】
0003569313.tif 000012
【図１１】
0003569313.tif 000013